(57)【要約】【課題】周囲の人に情報が漏れるのを防ぎ、且つ、血糖計の小型化を図る測定システムを提供する。【解決手段】測定システム１０は、血糖値を測定する血糖計１４と、少なくとも血糖計１４を収納する収納ケース１２とを備え、収納ケース１２には、該収納ケース１２をユーザに対して所定の向きで配置した時に、出力する音が該ユーザの方向に指向する指向性スピーカ２８と、血糖計１４に設けられた通信部１０６と通信する通信部１１４とが設けられており、血糖計１４は、測定した測定値情報を通信部１０６から送信し、指向性スピーカ２８は、通信部１１４が受信した測定値情報に基づいて音を出力する。【選択図】図５
2014052216.tif 000002
【特許請求の範囲】
【請求項１】
ユーザの体液の所定成分を測定する測定器と、
少なくとも前記測定器を収納する収納ケースと、
を備える測定システムであって、
前記収納ケースには、該収納ケースを前記ユーザに対して所定の向きで配置した時に、出力する音が前記ユーザの方向に指向する指向性スピーカと、前記測定器に設けられた測定器側通信部と通信する収納ケース側通信部とが設けられており、
前記測定器は、測定した測定値情報を前記測定器側通信部から送信し、
前記指向性スピーカは、前記収納ケース側通信部が受信した前記測定値情報に基づいて音を出力する
ことを特徴とする測定システム。
【請求項２】
請求項１に記載の測定システムであって、
前記測定器は、ユーザが操作するための操作部を有し、
前記測定器は、前記操作部の操作情報を前記測定器側通信部から送信し、
前記指向性スピーカは、前記収納ケース側通信部が受信した前記操作情報に基づいて音を出力する
ことを特徴とする測定システム。
【請求項３】
請求項１又は２に記載の測定システムであって、
前記測定器は、前記測定器の操作手順を示す案内情報を前記測定器側通信部から前記収納ケースに送信し、
前記指向性スピーカは、前記収納ケース側通信部が受信した前記案内情報に基づいて音を出力する
ことを特徴とする測定システム。
【請求項４】
請求項１〜３の何れか１項に記載の測定システムであって、
前記収納ケースは、本体部と、前記本体部に設けられたヒンジにより開閉可能に前記本体部の開口部を覆う蓋部とを有し、
前記指向性スピーカは、前記蓋部を開いた時に出力する音が前記ユーザの方向に指向するように前記蓋部の内側に設けられ、前記蓋部が開かれている時に前記収納ケース側通信部が受信した情報に基づいて音を出力する
ことを特徴とする測定システム。
【請求項５】
請求項４に記載の測定システムであって、
前記蓋部は、前記ヒンジによって１００度以上１５０度未満の角度で開き、
前記指向性スピーカは、前記蓋部の内側に設けられている
ことを特徴とする測定システム。
【発明の詳細な説明】
【技術分野】
【０００１】
本発明は、体液中の所定成分を測定する測定器と該測定器を収納する収納ケースとを有する測定システムに関する。
【背景技術】
【０００２】
糖尿病の治療においては、日々の血糖値を測定することによる日常的な管理が推奨されており、患者自身が血糖計を用いて血糖値を測定している。
【０００３】
しかし、糖尿病患者は、合併症によって弱視になったり失明している場合や、また、合併症でなくても高齢によって視力が低下している場合があり、このような場合は、血糖計のディスプレイに表示される測定値等の情報を読むことは困難である。従って、最近では、音声出力機能を有する血糖計が販売されているが、音声出力機能が追加されると、消費電力の増加に伴うバッテリの容量の増大、処理能力の大きいマイコン等が必要となり、血糖計が大型化してしまう。
【０００４】
従って、このような問題を解決するために、下記特許文献１〜２には、血糖計から測定結果である血糖値を取得して、該取得した血糖値を音声で読み上げる血糖値管理装置、携帯通信装置が記載されている。
【先行技術文献】
【特許文献】
【０００５】
【特許文献１】特開２０１２−７１０１９号公報
【特許文献２】特開２０１２−１４１２０４号公報
【発明の概要】
【発明が解決しようとする課題】
【０００６】
しかしながら、血糖値などの情報は個人的な情報であり、本人以外の人（周囲の人）に該情報を聞かれたくない場合があり、該情報が音声で出力されると周囲の人に係る情報が聞こえてしまう虞がある。
【０００７】
本発明は、係る従来の問題点に鑑みてなされたものであり、周囲の人に情報が漏れるのを防ぎ、且つ、血糖計の小型化を図る測定システムを提供することを目的とする。
【課題を解決するための手段】
【０００８】
上記目的を達成するために、ユーザの体液の所定成分を測定する測定器と、少なくとも前記測定器を収納する収納ケースと、を備える測定システムであって、前記収納ケースには、該収納ケースを前記ユーザに対して所定の向きで配置した時に、出力する音が前記ユーザの方向に指向する指向性スピーカと、前記測定器に設けられた測定器側通信部と通信する収納ケース側通信部とが設けられており、前記測定器は、測定した測定値情報を前記測定器側通信部から送信し、前記指向性スピーカは、前記収納ケース側通信部が受信した前記測定値情報に基づいて音を出力することを特徴とする。
【０００９】
上記の構成によれば、収納ケースに指向性スピーカを設け、測定器が測定した測定値情報に基づいて指向性スピーカが音を出力するので、測定器の消費電力を抑えながら測定器を小型化できる。また、測定器にスピーカを搭載していなくても、音で測定値をユーザに認識させることができ、且つ、周囲の人には測定値を聞こえ難くすることができる。
【００１０】
前記測定システムであって、前記測定器は、ユーザが操作するための操作部を有し、前記測定器は、前記操作部の操作情報を前記測定器側通信部から送信し、前記指向性スピーカは、前記収納ケース側通信部が受信した前記操作情報に基づいて音を出力することを特徴とする。
【００１１】
上記の構成によれば、指向性スピーカは、操作部の操作情報に基づいて音を出力するので、測定器にスピーカが搭載されていなくても、ユーザは、音によってどのような操作を行ったかを確認することができ、測定器の取扱いが簡単になる。
【００１２】
前記測定システムであって、前記測定器は、前記測定器の操作手順を示す案内情報を前記測定器側通信部から前記収納ケースに送信し、前記指向性スピーカは、前記収納ケース側通信部が受信した前記案内情報に基づいて音を出力することを特徴とする。
【００１３】
上記の構成によれば、指向性スピーカは、測定器の操作手順を示す案内情報に基づいて音を出力するので、測定器にスピーカが搭載されていなくても、ユーザは、音によってどのような操作を行なえば良いのかを認識することができ、測定器の取扱いが簡単になる。
【００１４】
前記測定システムであって、前記収納ケースは、本体部と、前記本体部に設けられたヒンジにより開閉可能に前記本体部の開口部を覆う蓋部とを有し、前記指向性スピーカは、前記蓋部を開いた時に出力する音が前記ユーザの方向に指向するように前記蓋部の内側に設けられ、前記蓋部が開かれている時に前記収納ケース側通信部が受信した情報に基づいて音を出力することを特徴とする。
【００１５】
上記の構成によれば、指向性スピーカは、蓋部を開いた時に出力する音がユーザの方向に指向するように蓋部の内側に設けられ、蓋部が開かれている時に指向性スピーカが音を出力するので、測定システムの使用時に、ユーザに対して音を認識させることができるとともに、周囲の人には該音を聞こえ難くすることができる。
【００１６】
前記測定システムであって、前記蓋部は、前記ヒンジによって１００度以上１５０度未満の角度で開き、前記指向性スピーカは、前記蓋部の内側に設けられていることを特徴とする。
【００１７】
上記の構成によれば、指向性スピーカが出力する音がユーザの方向に指向するように、蓋部の開き角度を設定することができる。
【発明の効果】
【００１８】
本発明によれば、収納ケースに指向性スピーカを設け、測定器が測定した測定値情報に基づいて指向性スピーカが音を出力するので、測定器の消費電力を抑えながら測定器を小型化できる。また、測定器にスピーカを搭載していなくても、音で測定値をユーザに認識させることができ、且つ、周囲の人には測定値を聞こえ難くすることができる。
【図面の簡単な説明】
【００１９】
【図１】実施の形態の測定システムの外観図である。
【図２】図１に示す収納ケースの側面図である。
【図３】チップの断面図である。
【図４】血糖計の外観図である。
【図５】測定システムのブロック図である。
【図６】測定システムの血糖計の動作の一例を示すフローチャートである。
【図７】測定システムの収納ケースの動作の一例を示すフローチャートである。
【発明を実施するための形態】
【００２０】
本発明に係る測定システムについて、好適な実施の形態を掲げ、添付の図面を参照しながら以下、詳細に説明する。
【００２１】
図１は、測定システム１０の外観図である。測定システム１０は、収納ケース１２と、収納ケース１２に収納される測定器としての血糖計１４、チップ１６（図３参照）、穿刺部１８、及び穿刺用器具部２０を有する。図１では、収納ケース１２を開いた状態を表しており、収納ケース１２は、本体部２２と、本体部２２に設けられたヒンジ２４により開閉可能に本体部２２の開口部２２ａを覆う蓋部２６とを有する。チップ１６及び穿刺部１８は、使い捨て用器具であり、チップ１６は、包装体１６ａに収納された状態で収納ケース１２に収納される。なお、本体部２２が設けられる側を下側、蓋部２６が設けられる側を上側として説明する。
【００２２】
本体部２２の内側には、血糖計１４と複数のチップ１６とが装着され、蓋部２６の内側には、複数の穿刺部１８と穿刺用器具部２０とが装着される。蓋部２６の内側には、ユーザ（患者、医療従事者等の測定システム１０を使用する人）の方向に指向する指向性スピーカ２８が設けられている。また、本体部２２には、蓋部２６が閉じられると（収納ケース１２が閉じられると）オフになり、蓋部２６が開かれると（収納ケース１２が開かれると）オンになる機械式のスイッチ（例えば、モーメンタリスイッチ）３０が設けられている。なお、スイッチ３０は、感圧センサ等を有する電子的スイッチであってもよく、光センサ等を有する光学的スイッチであってもよい。なお、本実施の形態では、収納ケース１２は、５個のチップ１６及び穿刺部１８を収納することができる。
【００２３】
図２は、図１に示す収納ケース１２の側面図である。図２に示す様に、蓋部２６のヒンジ２４側には、規制部材３２が設けられており、この規制部材３２が本体部２２と当接することにより、蓋部２６が所定角度θ以上開かないように規制する。この所定角度θは、収納ケース１２をテーブル３４に載置して蓋部２６を開いた時に、指向性スピーカ２８がユーザ３６（特にユーザ３６の顔）に指向する角度であることが望ましい。好ましくは、所定角度θは、１００度以上１５０度未満であることが好ましい。
【００２４】
通常、ユーザ３６は、図１及び図２に示すように、ユーザ３６に対して所定の向きで収納ケース１２をテーブル３４に載置して測定システム１０を使用するので、ユーザ３６がいる方向及び角度が予め定まり、指向性スピーカ２８を設置し易くなる。なお、本実施の形態では、蓋部２６の内側に指向性スピーカ２８を配置したが、蓋部２６の外側であってもよく、本体部２２に設けてもよい。要は、収納ケース１２をユーザ３６に対して所定の向きで配置した時に、指向性スピーカ２８が出力する音がユーザ３６の方向に指向していればよい。
【００２５】
図３は、チップ１６の断面図である。チップ１６は、試験具として血糖計１４の先端に着脱可能に装着されるものである。チップ１６は、有底円筒状のベース筒５０と、ベース筒５０の底部付近から半径方向に突出するフランジ５２と、ベース筒５０の底部から突出する錘状のノズル５４と、ベース筒５０の底部内面に設置された試験紙５６とを有する。
【００２６】
ノズル５４の中心には、先端の点着部５８から試験紙５６に連通する直線状の血液導入路６０が設けられている。血液導入路６０は、血液を毛細現象により吸い上げる程度に十分細径に設定されており、点着部５８に接触した血液を試験紙５６まで導入する。試験紙５６は、導入された血液を吸収する。
【００２７】
試験紙５６の材質としては、例えば、ポリエーテルスルホンが挙げられる。試験紙５６に含浸させる試薬としては、例えば、グルコースオキシダーゼ（ＧＯＤ）、ペルオキシダーゼ（ＰＯＤ）、４−アミノアンチピリン、Ｎ−エチルＮ−（２−ヒドロキシ−３−スルホプロピル）等の発色剤が挙げられる。また、試薬には、所定の緩衝剤が含まれていてもよい。
【００２８】
血糖測定を行う際には、包装体１６ａの基端側に貼られたフィルム１６ｂ（図１参照）を剥した上で、包装体１６ａごと血糖計１４の先端に設けられたチップ装着部７０（図４参照）に被せることにより、嵌合力の差によって自動的に且つ手で触れることなく該チップ１６をチップ装着部７０に装着させることができる。血糖測定後には、血糖計１４のイジェクタ７２（図４参照）を先端側に押し出すことにより内部のレバーがチップ１６に係合して押し出し、チップ１６を取り外すことができる。一度使用したチップ１６は再使用されることなく捨てられる。なお、本実施の形態では、酵素比色法を用いたチップ１６を使用したが、酵素電極法を用いたチップであってもよい。
【００２９】
図４は、血糖計１４の外観図である。血糖計１４には、先端に試験具としてのチップ１６が装着される。血糖計１４には、患者自身が操作して血糖測定を行うパーソナルユースの用途として主に用いられるが、医療施設内で医療従事者等が患者に対して使用してもよい。
【００３０】
血糖計１４は、チップ１６が装着されるチップ装着部７０と、チップ装着部７０の近傍で且つ、血糖計１４の筐体１４ａ上面に設けられたイジェクタ７２と、筐体１４ａ上面の略中央に設けられた液晶の表示部７４と、筐体１４ａ上面の基端側に設けられた操作部７６とを有する。血糖計１４は、片手で把持し易いやや細長い形状であり、先端部は先端方向に向かって細くなり、血液の点着が行い易い形状になっている。
【００３１】
血糖計１４の上面部は、平面状に形成されており、表示部７４の視認性と操作部７６の操作性が良い。表示部７４は、計測した血糖値（測定値）や所定の入力操作確認等の情報を表示する。操作部７６は、電源ボタン７６ａと、過去に記憶された測定値を読み出す記憶呼出ボタン７６ｂとを有する。
【００３２】
穿刺部１８及び穿刺用器具部２０については詳しく説明しないが、穿刺部１８は、患者の皮膚を穿刺する針（図示略）を有し、穿刺用器具部２０の先端に着脱可能に装着される。キャップ８０（図１参照）を取ることで穿刺部１８の前記針が露呈する。患者等の穿刺用器具部２０を把持して、先端に装着された穿刺部１８で皮膚を穿刺することで、該皮膚から血を出すことができる。一度使用した穿刺部１８は再使用されることなく捨てられる。
【００３３】
図５は、測定システム１０のブロック図である。血糖計１４は、表示部７４、操作部７６、測定部１００、記憶部１０２、制御部１０４、及び通信部（測定器側通信部）１０６を有する。測定部１００は、図示しないが、装着されたチップ１６の試験紙５６にパルス状の光を照射する発光部と、呈色した試験紙５６が反射した光を受光する受光部とを有し、受光部が受光した受光信号をデジタル値に変換して制御部１０４に出力する。
【００３４】
記憶部１０２には、必要なデータ及びプログラムが記憶されている。制御部１０４は、ＣＰＵ及びメモリを有し、該ＣＰＵは、記憶部１０２に記憶されているプログラムを実行することで制御部１０４として機能する。制御部１０４は、測定部１００から送られてきた受光信号に基づいて血糖値を算出する。また、制御部１０４は、特定の情報（例えば、算出した測定値、操作部７６の操作情報や血糖計１４の操作手順を示す案内情報）を通信部１０６から送信する。
【００３５】
収納ケース１２は、指向性スピーカ２８、スイッチ３０、記憶部１１０、制御部１１２、及び通信部（収納ケース側通信部）１１４を有する。記憶部１１０には、音データ等の必要なデータ及びプログラムが記憶されている。制御部１１２は、ＣＰＵ及びメモリを有し、該ＣＰＵは、記憶部１１０に記憶されているプログラムを実行することで制御部１１２として機能する。制御部１１２は、収納ケース１２が開いている状態時に、通信部１１４が受信した情報に対応する音データを記憶部１１０から取得し、該取得した音データに基づく音声を指向性スピーカ２８から出力する。通信部１０６及び通信部１１４は、例えば、Ｂｌｕｅｔｏｏｔｈ（登録商標）、ＩｒＤＡ（Infrared Data Association）等を用いて相互に無線通信を行うことができる。
【００３６】
次に、測定システム１０の血糖計１４の動作の一例を、図６のフローチャートに従って説明する。
【００３７】
制御部１０４は、電源がオンになったか否かを判断する（ステップＳ１）。ユーザ３６の電源ボタン７６ａの操作より図示しない電源から電力が供給されて制御部１０４が起動することで、制御部１０４は、電源がオンになったと判断する。
【００３８】
ステップＳ１で、電源がオンになったと判断すると、制御部１０４は、電源ボタン７６ａが操作された旨を示す操作情報を通信部１０６から送信する（ステップＳ２）。このとき、制御部１０４は、表示部７４に電源がオンになった旨を示す情報を表示してもよい。例えば、「電源がオンになりました」という文章を表示部７４に表示してもよい。
【００３９】
次いで、制御部１０４は、血糖計１４の操作手順の１つであるチップ１６の装着を促す案内情報を通信部１０６から送信する（ステップＳ３）。このとき、制御部１０４は、表示部７４にチップ１６の装着を促す旨を示す情報を表示してもよい。例えば、「チップを装着して下さい」という文章を表示部７４に表示してもよい。
【００４０】
次いで、制御部１０４は、チップ１６が装着されたか否かを判断する（ステップＳ４）。チップ１６が装着されたか否かの判断は、測定部１００の前記受光部が受光した受光信号のデジタル値に基づいて、チップ１６の装着の有無を判断する。チップ１６が装着されている場合は、測定部１００の前記発光部が発光した光は、試験紙５６で反射して前記受光部に入射するので、測定部１００から送られてきたデジタル値が閾値以上の場合は、チップ１６が装着されたと判断する。
【００４１】
ステップＳ４で、チップ１６が装着されていないと判断すると、装着されるまでステップＳ３に留まる。このとき、一定時間以上、チップ１６が装着されていない場合は、制御部１０４は、チップ１６の装着を促す案内情報を通信部１０６から送信してもよく、警告を示す情報を通信部１０６から送信してもよい。また、制御部１０４は、表示部７４にチップ１６の装着を促す旨を示す情報等を表示してもよい。
【００４２】
ステップＳ４で、チップ１６が装着されたと判断すると、制御部１０４は、血糖計１４の操作手順の１つである血液の点着を促す案内情報を通信部１０６から送信する（ステップＳ５）。このとき、制御部１０４は、表示部７４に血液の点着を促す旨を示す情報を表示してもよい。例えば、「チップに血液を点着して下さい」という文章を表示部７４に表示してもよい。
【００４３】
次いで、制御部１０４は、一定時間経過後に、測定部１００から送られてきデジタル値に基づいて血糖値を算出する（ステップＳ６）。ここで、チップ１６に血液が点着され、試験紙５６が血液を吸収すると、血液中のグルコースと試験紙５６に含浸された試薬との反応により呈色が開始される。
【００４４】
なお、一定時間経過後に、測定部１００から送られてきたデジタル値が、予め定められた範囲に含まれない場合は、測定エラーを示す情報や点着を促す案内情報を通信部１０６から送信してもよい。測定部１００から送られてきたデジタル値が、予め定められた範囲に含まれていない場合は、点着部５８に血液が点着されていないか、点着されたとしても試験紙５６に十分な血液が浸透しておらず、正確に血糖値を算出することができないからである。勿論、制御部１０４は、表示部７４に点着を促す旨を示す情報等を表示してもよい。
【００４５】
次いで、制御部１０４は、血糖値を算出すると、算出した血糖値を示す情報（血糖値情報）を通信部１０６から送信する（ステップＳ７）。このとき、制御部１０４は、表示部７４に算出した血糖値を表示してもよい。
【００４６】
次に、測定システム１０の収納ケース１２の動作の一例を、図７のフローチャートに従って説明する。
【００４７】
ユーザ３６は、血糖値を測定する場合、ユーザ３６から見て収納ケース１２が図１に示す状態となるように、収納ケース１２を配置して蓋部２６を開いてから血糖計１４を収納ケース１２から取り出す。
【００４８】
そのため、制御部１１２は、最初に、スイッチ（閉検出部）３０のオンオフ状態に基づいて収納ケース１２が開いているか否かを判断する。なお、スイッチ３０がオンになることで、図示しない電源から電力が供給されて制御部１１２が起動してもよい。この場合は、制御部１１２は起動すると、収納ケース１２が開いていると判断する。
【００４９】
ステップＳ１で、収納ケース１２が開いていると判断した場合は、制御部１１２は、通信部１１４が血糖計１４から送信された情報を受信したか否かを判断し（ステップＳ２２）、ステップＳ２２で、通信部１１４が血糖計１４からの情報を受信していないと判断すると、ステップＳ２１に戻る。
【００５０】
一方、ステップＳ２２で、通信部１１４が血糖計１４からの情報を受信したと判断すると、制御部１１２は、受信した該情報に基づいて、音を指向性スピーカ２８から出力して（ステップＳ２３）、ステップＳ２１に戻る。
【００５１】
詳しくは、制御部１１２は、受信した情報に対応する音データを記憶部１１０から取得し、該音データに基づく音を指向性スピーカ２８から出力する。例えば、図６のステップＳ２で送信された電源ボタン７６ａの操作情報を受信した場合は、該操作情報に対応する、「電源がオンになりました」という音データを記憶部１１０から取得して、指向性スピーカ２８から音声を出力する。これにより、ユーザ３６は、血糖計１４の電源がオンになったことを認識することができる。
【００５２】
図６のステップＳ３で送信されたチップ１６の装着を促す案内情報を受信した場合は、該案内情報に対応する、「チップを装着して下さい」という音データを記憶部１１０から取得して、指向性スピーカ２８から音声を出力する。これにより、ユーザ３６は、次の段階として、チップ１６を装着することを認識することができる。
【００５３】
図６のステップＳ５で送信された血液の点着を促す案内情報を受信した場合は、該案内情報に対応する、「チップが装着されました  チップに血液を点着して下さい」という音データを記憶部１１０から取得して、指向性スピーカ２８から音声を出力する。これにより、ユーザ３６は、次の段階としてチップに血液を点着することを認識することができる。
【００５４】
図６のステップＳ７で送信された血糖値情報（例えば、１２３）を受信した場合は、該血糖値情報（測定値情報）に対応する音データ（例えば、「ひゃく」、「にじゅう」、及び「さん」の音データ）を記憶部１１０から取得して、指向性スピーカ２８から音声を出力する。これにより、ユーザ３６は、測定された血糖値を認識することができる。
【００５５】
このように、血糖計１４にスピーカを設けずに、収納ケース１２に指向性スピーカ２８を設け、血糖計１４が測定した血糖値等の音声を指向性スピーカ２８から出力するようにしたので、血糖計１４の消費電力を抑えながら血糖計１４を小型化することができ、音で測定値等をユーザ３６に認識させることができる。
【００５６】
指向性スピーカ２８は、操作部７６の操作情報や血糖計１４の操作手順を示す案内情報に基づいて音を出力するので、ユーザ３６は、音によってどのような操作を行ったか確認することができるとともに、どのような操作を行なえば良いのか認識することができ、血糖計１４の取扱いが簡単になる。
【００５７】
また、指向性スピーカ２８は、収納ケース１２を開いた時に、ユーザ３６（特にユーザ３６の顔）の方向に指向するように指向性スピーカ２８を蓋部２６の内側に設け、収納ケース１２を開いている時に指向性スピーカ２８が音を出力するので、測定システム１０の使用時に、ユーザ３６に対して音を認識させることができるとともに、周囲の人には該音を聞こえ難くすることができる。
【００５８】
なお、上記実施の形態では、測定器の一種として体液中の血糖を測定する血糖計１４を用いて説明したが、血糖以外の体液中の所定成分を測定するものであればよい。この場合、測定部１００は、血糖以外の体液中の所定成分を測定する機能を有する。また、受信した情報に応じて音声を出力するようにしたが、警告音や確認音等の単なる音を出力するようにしてもよい。この場合は、記憶部１１０には、各情報に応じて音（警告音、確認音等）の音データを記憶させておく。
【００５９】
以上、本発明について好適な実施の形態を用いて説明したが、本発明の技術的範囲は上記実施の形態に記載の範囲には限定されない。上記実施の形態に、多様な変更又は改良を加えることが可能であることが当業者に明らかである。その様な変更又は改良を加えた形態も本発明の技術的範囲に含まれ得ることが、特許請求の範囲の記載から明らかである。
【符号の説明】
【００６０】
１０…測定システム                  １２…収納ケース
１４…血糖計                        １６…チップ
１８…穿刺部                        ２０…穿刺用器具部
２２…本体部                        ２４…ヒンジ
２６…蓋部                          ２８…指向性スピーカ
３０…スイッチ                      ５６…試験紙
７４…表示部                        ７６…操作部
１００…測定部                      １０２、１１０…記憶部
１０４、１１２…制御部              １０６、１１４…通信部
【図１】
2014052216.tif 000003
【図２】
2014052216.tif 000004
【図３】
2014052216.tif 000005
【図４】
2014052216.tif 000006
【図５】
2014052216.tif 000007
【図６】
2014052216.tif 000008
【図７】
2014052216.tif 000009